(57)【要約】【課題】通常のデータ送受信のタイミングに影響を与えることなく、データ送受信を中断することもなく、安定したＩＱインバランス補正が可能な無線装置を提供する。【解決手段】送受信データを入出力するプロトコル制御部１１と、プロトコル制御部１１からの送信データを変調した信号をアンテナ１を介して送信する経路と、受信された信号を復調した受信データをプロトコル制御部１１に出力する経路と、送信及び受信経路に設けた、各経路の信号のＩＱインバランスを補正する補正部３、７と、各補正部における補正値を制御する補正制御部１５と、受信経路中の信号のＩＱインバランスを検出する検出部１２と、送信経路にテスト信号を供給するテスト信号発生部１３と、を備え、補正制御部１５は、プロトコル制御部１１のデータ送受信が行われない間、スイッチを短絡させ、テスト信号を発生させて検出部１２の値が最小となるまで、補正部３、７の制御値を変化させる。【選択図】図１
2010258977.tif 000002
【特許請求の範囲】
【請求項１】
アンテナと、プロトコル処理された送受信データを入出力するプロトコル制御部と、前記プロトコル制御部からの送信データを変調した信号を前記アンテナを介して送信する送信経路と、前記アンテナによって受信された信号を復調した受信データを前記プロトコル制御部に出力する受信経路と、前記送信経路及び受信経路を接続して前記送信経路で変調された信号を前記受信経路に供給するためのスイッチと、前記送信経路及び受信経路に設けた、各経路を流れる信号のＩＱインバランスを補正する補正部と、各補正部における補正値を制御する補正制御部と、前記受信経路を流れる信号のＩＱインバランスを検出する検出部と、前記送信経路にテスト信号を供給するテスト信号発生部と、を備え、
前記補正制御部は、前記プロトコル制御部におけるデータ送受信が行われない時間内に、前記テスト信号発生部に前記テスト信号を発生させ、前記検出部の検出値が最小となるまで、各補正部の制御値を変化させることを特徴とする無線送受信装置。
【請求項２】
前記プロトコル制御部におけるデータ送受信の切替間隔を計測するタイマー部を備え、
前記補正制御部は、前記プロトコル制御部から送受信の切替を指示されると、前記スイッチを短絡させ、前記タイマー部によって計測される切替間隔の間、前記テスト信号発生部に前記テスト信号を発生させ、前記検出部の検出値が最小となるまで、各補正部の制御値を変化させることを特徴とする請求項１記載の無線送受信装置。
【請求項３】
スーパーフレーム期間中の、前記プロトコル制御によるデータ送受信が行われないスロット期間を検出するスロット検出部と、を備え、
前記補正制御部は、前記スロット期間の間、前記スイッチを短絡させ、前記テスト信号発生部に前記テスト信号を発生させ、前記検出部の検出値が最小となるまで、各補正部の制御値を変化させることを特徴とする請求項１記載の無線送受信装置。
【請求項４】
前記補正制御部はカウンターを有し、送受信切り替え回数をカウントしＮ回に一回の頻度でＩＱインバランスを補正することを特徴とする請求項１又は２記載の無線送受信装置。
【請求項５】
前記補正制御部はタイマーを有し、所定の時間内に一回の頻度でＩＱインバランスを補正することを特徴とする請求項１又は２記載の無線送受信装置。
【発明の詳細な説明】
【技術分野】
【０００１】
本発明は、無線送受信装置に関し、特に直交変復調におけるＩＱ信号のインバランスを補正する構成を有する無線送受信装置に関する。
【背景技術】
【０００２】
近年、オフィスや家庭などで用いられる無線通信技術分野においては、例えばＩＥＥＥ８０２．１１系の規格に基づいた無線ＬＡＮ通信や、ワイヤレスＵＳＢ規格に基づいた無線ＰＡＮ通信などが実用化され様々な製品が市場に出されている。
ワイヤレスＵＳＢには、無線通信方式として、WiMedia Allianceが推進するＵＷＢ（Ultra Wideband）方式が採用されている。ＵＷＢは低消費電力でありながら、現在普及しているＩＥＥＥ８０２．１１ａ／ｂ／ｇをはるかに上回る高速通信が可能であることから、オフィスでの効率化、生活の利便性向上のために、様々な機器に搭載されていくことが期待されている。
ＵＷＢ方式はデジタル変調方式の一つであるＯＦＤＭ（直交波周波数分割多重：Orthogonal Frequency Division Multiplexing）を採用している。このＯＦＤＭ方式は受信の場合、信号が一定周波数の中間周波数ＩＦ（Intermediate Frequency）信号に変換される。
【０００３】
更に中間周波数信号は、基準発振器からのローカル信号と混合され、同相成分であるＩ信号を出力する。同時に、中間周波数信号は、基準発振器から９０度移相器を介して位相が９０度ずれたローカル信号と混合され、直交成分であるＱ信号を出力することで実現される。直交復調後、後段の回路においては、Ｉ信号（同相成分）およびＱ信号（直交成分）を受け取り、ＵＷＢ用のベースバンド信号への変換等のベースバンド信号処理を行う。
後段の回路に含まれる、Ｉ信号、Ｑ信号それぞれに対応して２系統存在するベースバンドフィルタ、ＡＤ変換器等は、アナログ回路から構成されていることもあり、製造時の製造誤差や、温度変化などの要因により相対誤差（ＩＱインバランス）が生ずる。例えば、振幅誤差、位相誤差等である。送信の場合も同様にＩＱインバランスが生じる。このような誤差は、最終的には受信特性に悪影響を及ぼすので、補正する必要がある。
従来、この補正方法としては、テスト信号を使用してＩ信号およびＱ信号両者間の振幅誤差、位相誤差などを測定して、これらを小さくするように補正値を調整するために、それぞれの信号系統に備える調整回路を調節する手法が提案されている（例えば、特許文献１参照）。
【発明の概要】
【発明が解決しようとする課題】
【０００４】
特許文献１に開示されている技術では、ＩＱインバランスの調整を行うために信号経路の切り替えを行い、かつ専用のテスト信号を送信・受信する必要があるため、通常のデータ送受信時にはＩＱインバランスの調整が実施できない問題があった。そのため一般に電源投入時の初期化処理においてのみＩＱインバランスの調整を行い、その後の特性変動によるＩＱインバランスは補正できない、または必要であればデータ送受信を中断してＩＱインバランスの調整を行う必要があった。
かかる現状を鑑みて、本発明は、通常のデータ送受信のタイミングに影響を与えることなく、またデータ送受信を中断することなく、テスト信号を用いて安定したＩＱインバランス補正が可能な無線装置を提供することを目的とする。
【課題を解決するための手段】
【０００５】
上記の課題を解決するために、請求項１の発明は、アンテナと、プロトコル処理された送受信データを入出力するプロトコル制御部と、前記プロトコル制御部からの送信データを変調した信号を前記アンテナを介して送信する送信経路と、前記アンテナによって受信された信号を復調した受信データを前記プロトコル制御部に出力する受信経路と、前記送信経路及び受信経路を接続して前記送信経路で変調された信号を前記受信経路に供給するためのスイッチと、前記送信経路及び受信経路に設けた、各経路を流れる信号のＩＱインバランスを補正する補正部と、各補正部における補正値を制御する補正制御部と、前記受信経路を流れる信号のＩＱインバランスを検出する検出部と、前記送信経路にテスト信号を供給するテスト信号発生部と、を備え、前記補正制御部は、前記プロトコル制御部におけるデータ送受信が行われない時間内に、前記テスト信号発生部に前記テスト信号を発生させ、前記検出部の検出値が最小となるまで、各補正部の制御値を変化させる無線送受信装置を特徴とする。
また、請求項２の発明は、前記プロトコル制御部におけるデータ送受信の切替間隔を計測するタイマー部を備え、前記補正制御部は、前記プロトコル制御部から送受信の切替を指示されると、前記スイッチを短絡させ、前記タイマー部によって計測される切替間隔の間、前記テスト信号発生部に前記テスト信号を発生させ、前記検出部の検出値が最小となるまで、各補正部の制御値を変化させる請求項１記載の無線送受信装置を特徴とする。
【０００６】
また、請求項３の発明は、スーパーフレーム期間中の、前記プロトコル制御によるデータ送受信が行われないスロット期間を検出するスロット検出部と、を備え、前記補正制御部は、前記スロット期間の間、前記スイッチを短絡させ、前記テスト信号発生部に前記テスト信号を発生させ、前記検出部の検出値が最小となるまで、各補正部の制御値を変化させる請求項１記載の無線送受信装置を特徴とする。
また、請求項４の発明は、前記補正制御部はカウンターを有し、送受信切り替え回数をカウントしＮ回に一回の頻度でＩＱインバランスを補正する請求項１又は２記載の無線送受信装置を特徴とする。
また、請求項５の発明は、前記補正制御部はタイマーを有し、所定の時間内に一回の頻度でＩＱインバランスを補正する請求項１又は２記載の無線送受信装置を特徴とする。
【発明の効果】
【０００７】
上記のように構成したので、本発明によれば、ＩＱインバランス補正可能タイミングを検出してＩＱインバランス補正を行って、通常のデータ送受信のタイミングに影響を与えることなく、またデータ送受信を中断することなく、テスト信号を用いて安定したＩＱインバランス補正が可能となる。
【図面の簡単な説明】
【０００８】
【図１】本発明の無線装置のひとつの実施の形態を示すブロック図。
【図２】代表的なＩＱインバランス補正回路を示す図。
【図３】ＩＱインバランス補正回路の動作原理を示す図。
【図４】イメージ妨害波の周波数成分を示す図。
【図５】ＩＱ信号の振幅インバランスと位相インバランスを検出する代表的なＩＱインバランス検出回路を示す図。
【図６】ＩＱインバランス補正を実施するタイミングについて示す図。
【図７】動作フローチャートを示す図（その１）。
【図８】本発明の無線装置の別の実施の形態を示すブロック図。
【図９】ＩＱインバランス補正を実施するタイミングについて示す図。
【図１０】動作フローチャートを示す図（その２）。
【発明を実施するための形態】
【０００９】
以下、図面を参照して本発明の実施の形態について説明する。
図１は本発明の無線装置のひとつの実施の形態を示すブロック図である。
図１に示す本実施例の形態は、アンテナ１と、プロトコル処理された送受信データが入出力されるプロトコル制御部１１、送受信データをベースバンド信号に変復調するＰＬＣＰ（Physical Layer Convergence Protocol）ブロック１０、アンテナ１から受信したＲＦ(Radio Frequency)信号を中間周波数信号（ＩＦ信号）にダウンコンバートするＲＸ−ＲＦブロック２、ＩＦ信号のＩＱインバランスを補正するＲＸ−ＩＱ補正部３、補正したＩＦ信号に対して不要な帯域の信号カットと適正なレベルへの増幅を行うＲＸ−ＩＦブロック４、ＲＸ−ＩＦブロック４を通過した信号をデジタル変換するＡＤ変換器５を備える。
さらに、ＰＬＣＰブロック１０からのベースバンド信号をデジタル変換するＤＡ変換器９、送信するＩＱ信号の不要な帯域の信号をカットするＴＸ−ＩＦブロック８、ＩＦ信号をＲＦ帯域にアップコンバートしＲＦ信号を出力するＴＸ−ＲＦブロック６、次段のＴＸ−ＲＦブロック６で発生するＩＱインバランスを補正するＴＸ−ＩＱ補正部７と、下記に詳述するＩＱインバランス検出部（検出部）１２、テスト信号発生部１３、ＳＩＦＳ(Short Interframe Space)タイマー部（タイマー部）１４、ＩＱ補正制御部（補正制御部）１５より構成される。
【００１０】
本施の形態の無線装置の動作について、送受信別にさらに詳しく説明する。
通常のデータ送信時は、送信データがプロトコル制御部１１から出力され、ＰＬＣＰブロック１０でベースバンド信号に変調される。ＰＬＣＰブロック１０でＩＱ信号に変調された送信データは、ＤＡ変換部９でＩＱアナログ信号のＩＦ信号となる。ＴＸ−ＩＦブロック８はＬＰＦ(Law Pass Filter)で構成されておりＩＱアナログ信号のうちの不要な帯域の信号をカットする。
ＴＸ−ＩＱ補正部７は、次段のＴＸ−ＲＦブロック６で発生するＩＱインバランスを補正するブロックである。ＴＸ−ＲＦブロック６ではＩＦ信号をＲＦ帯域にアップコンバートしＲＦ信号が出力される。ＲＦ信号はアンテナ１から空中へ送信される。
また、通常のデータ受信時は、アンテナ１から入力されたＲＦ信号がＲＸ−ＲＦブロック２でダウンコンバートされＩＱ信号で構成されるＩＦ信号となる。ＲＸ−ＩＱ補正部３はＲＸ−ＲＦブロック４で発生したＩＱインバランスを補正するブロックである。ＲＸ−ＩＦブロック４はＬＰＦとＶＧＡ(Variable Gain Amplifier:可変利得増幅器)で構成され、不要な帯域の信号カットと適正なレベルへの増幅が行われる。ＡＤ変換器５ではＩＱ信号がデジタル化され、ＰＬＣＰブロック１０で復調されることで受信データが復調され、プロトコル制御部１１で受信データに対応した処理が実施される。
【００１１】
かかる構成の無線装置において、各ＩＱ補正部３、７におけるＩＱインバランス補正は、送受信の切り替えタイミングで行うように構成している。
すなわち、送受信の切り替え時に、プロトコル制御部１１から送受信切り替え信号によってＩＱ補正制御部１５に送受信切り替えタイミングを通知し、後述する図７の動作フローに準じてＩＱインバランス補正動作を開始するようにする。
そして、ＤＡ変換器９にはＰＬＣＰブロック１０からの出力の変わりに、ＩＱ補正制御部１５からの指示によりテスト信号発生部１３からテスト信号が出力される。テスト信号はＴＸパスを通って、ＳＷ１によって短絡されたＲＸパスに接続され、ＲＸパスを通してＩＱインバランス検出部１２で振幅インバランスと位相インバランスを検出する。そして、検出信号が小さくなるようにＴＸ−ＩＱ補正部７とＲＸ−ＩＱ補正部３における補正値を決定する。
ＳＩＦＳタイマー部１４は、送受信切り替えタイミング開始からＳＩＦＳ値時間（送受信切り替え時の最低フレーム間隔）の計測を行う。ＳＩＦＳ時間が経過するとＩＱ補正制御部１５にＳＩＦＳ時間の経過を知らせることで、ＩＱ補正制御部１５はＩＱインバランス補正を終了し、通常のデータ送受信が可能となる。
【００１２】
以下に、本発明の無線装置のインバランス補正について、さらに詳細に説明する。
図２は、代表的なＩＱインバランス補正回路を示す図である。
ＩＱインバランス補正回路は増幅器（乗算器）２１、２２と加算器２３から構成されている。
Ｉ信号とＱ信号の入出力の関係を以下に示す。
Ｉ信号出力＝Ｉ信号入力
Ｑ信号出力＝ａ×Ｉ信号入力＋ｂ×Ｑ信号入力
すなわち、Ｉ信号入力はそのまま出力されるが、Ｑ信号入力は、増幅器２２でｂ倍された後、増幅器２１でａ倍されたＩ信号入力と加算器２３によって足し合わされて出力される。
補正値ａ、ｂを最適化することで、ＩＱインバランスを補正することが可能である。
【００１３】
図３は、ＩＱインバランス補正回路の動作原理を示す図であり、（ａ）は、ＩＱインバランスが生じている補正前のＩＱ信号の関係を示す図、（ｂ）はＩＱインバランス補正後の理想的なＩＱ信号の関係を示す図である。
入力のＩＱ信号にゲインや位相のインバランスが付加されていた場合、ＩＱインバランス補正前の図３（ａ）のように、ＩＱ信号の振幅が等しくなく、かつ位相差が９０度とならない。このような場合はダウンコンバートしたＩＦ信号においてイメージ妨害波が発生する。
図４は、イメージ妨害波の周波数成分を示す図である。
本来の信号成分である周波数−ｆIF信号成分以外に、周波数＋ｆIF信号成分が存在する。この信号成分がイメージ妨害波となり受信信号のＳＮＲ劣化の原因となる。ＩＱ信号のインバランスを補正することで、このイメージ妨害波を減少することが可能となる。
図３においてＩＱインバランスが生じていた場合でも、適切な補正値ａ、ｂをＩＱ信号にそれぞれ乗算（増幅）し、それらを加算することにより、図３（ｂ）に示すＩ信号に対してＱ信号の振幅が等しく、位相差が９０度となる理想的なＱ信号が得られる。
そこで、補正回路の補正値ａ、ｂを算出するためには、ＩＱ信号の振幅インバランスと位相インバランスを検出する必要がある。
【００１４】
図５は、ＩＱ信号の振幅インバランスと位相インバランスを検出する代表的なＩＱインバランス検出回路を示す図である。
ＩＱインバランスの検出は、ＩＱ信号の振幅と位相差のインバランスを以下の式で検出する。
振幅インバランス＝ＬＰＦ（Ｉ信号＾２−Ｑ信号＾２）
位相インバランス＝ＬＰＦ（Ｉ信号×Ｑ信号）
検出された振幅インバランスと位相インバランスが最小となるように、図２のＩＱインバランス補正回路の補正値ａ、ｂを設定する。
なお、本実施例では受信パスのＩＱインバランス補正回路（ＲＸ−ＩＱ補正部）３はＩＦアナログ信号で補正する構成としているが、ＡＤ変換部出力のデジタル信号を使用したデジタル処理でＩＱインバランスを補正することも可能である。同様に送信パスのＩＱインバランス補正回路（ＴＸ−ＩＱ補正部）７もＩＦアナログ信号で補正する構成としているが、ＤＡ変換部入力前のデジタル信号を使用したデジタル処理でＩＱインバランスを補正することも可能である。例えば、米国特許出願公開２００５／００７０２３６のような構成を取り得る。
【００１５】
図６は、ＩＱインバランス補正を実施するタイミングについて示す図である。
本実施例はＩＱインバランス補正を実施するために専用のテスト信号を用いる。テスト信号の代表的な例としてＩ信号にｓｉｎ波、Ｑ信号に同じ周波数で９０度位相がずれているｃｏｓ波を使用する。
専用のテスト信号を用いる場合には、実際の送受信動作中はＩＱインバランス補正が対応できない。そのため、送受信動作を行っていないタイミング中にＩＱインバランス補正を行う必要がある。
例えば、ワイヤレスＵＳＢに使用されている無線通信方式であるWiMedia Alliance方式で説明する。
図６に示すように、送信フレームから受信フレームへの切り替えや、受信フレームから送信フレームへの切り替え時には最低フレーム間隔が決まっておりＳＩＦＳ（Short Interframe Spacing）と呼ばれる値以上のフレーム間隔が規定されている。例えばWiMedia Alliance方式では１０ｕＳと定義されている。そのため、送信から受信への切り替え時と、受信から送信への切り替え時にはデータ送受信を行わないタイミングがＳＩＦＳ値の時間存在する。
【００１６】
本実施例ではこの送受信切り替え最小時間をＩＱインバランス補正実施タイミングとして、ＳＩＦＳ値の時間未満の間隔でＩＱインバランス補正を実施する。
図７は、本実施例においてＩＱインバランス補正を実施するための動作フローチャートを示す図である。
図１及び図７を参照して、本発明における補正動作の流れを説明する。
プロトコル制御部１１ではフレームの送受信タイミングが管理されており、ＩＱ補正制御部１５は送受信の切り替えが実施されるタイミングまで待機する。
フレームの送信又は受信が行われて（ステップＳ１１）、送受信切り替え間隔（ＳＩＦＳ）となると（ステップＳ１２でＹｅｓ）、ＩＱ補正制御部１５は、ＩＱインバランス補正を開始する（ステップＳ１３）。
ＩＱ補正制御部１５は、送信受信切り替えスイッチ（ＳＷ２）をニュートラルにてアンテナ１を送信と受信パスから切り離し、送信受信短絡スイッチ（ＳＷ１）を短絡して送信出力と受信入力を接続する（ステップＳ１４）。
次に、テスト信号発生部１３は、ＩＱインバランス補正用のテスト信号を発生し（ステップＳ１５）、ＩＱインバランス検出部１２がＩＱインバランスを検出し、検出結果に基づいてＩＱ補正制御部１５は、振幅インバランスと位相インバランスが最小となるように補正値ａ、ｂを設定する（ステップＳ１６）。
ＳＩＦＳ値の時間以内であれば（ステップＳ１７でＹｅｓ）、さらに最適な補正値を設定してＩＱインバランスを補正する（ステップＳ１６）。ＳＩＦＳ値の時間になったタイミングで（ステップＳ１７でＮｏ）ＩＱインバランス補正を終了し（ステップＳ１８）、ＳＷ１とＳＷ２を通常のデータ送受信ができる制御に戻す。
【００１７】
このように、送信受信切り替え最小時間の区間内でテスト信号を発生してＩＱインバランスを補正することで、通常のデータ送受信のタイミングに影響を与えることなく、またデータ送受信を中断することなく、テスト信号を用いて安定したＩＱインバランス補正が可能となる。
なお、ＩＱ補正制御部１５にカウンターを有し、送受信切り替え回数をカウントしＮ回に一回の頻度でＩＱインバランスを補正することも可能である。これによりＩＱインバランスの補正値の時間変動が少ない場合は効率よくＩＱインバランスの補正が可能となる。
また、ＩＱ補正制御部１５にタイマーを有し、所定時間内に一回の頻度でＩＱインバランスを補正することも可能である。これによりＩＱインバランスの補正値の時間変動が少ない場合は効率よくＩＱインバランスの補正が可能となる。
【００１８】
図８は他の実施の形態例を示す図である。
図８に示す無線装置は、図１に示す無線装置とほぼ同様の構成であるが、ＳＩＦＳタイマー部１４の替わりにＩＱ補正可能スロット検出部（スロット検出部）３０を有している。
通常のデータ送信時やデータ受信時は図１の実施例と同じ動作であるが。プロトコル制御部１１の情報から、ＩＱ補正可能スロット検出部３０は、後述するビーコン期間でなくＤＲＰ予約もされていないＩＱインバランス補正可能なスロットの区間を検出する。この期間では、図１０の動作フローに準じてＩＱインバランス補正動作が開始される。
ＤＡ変換器にはＰＬＣＰブロック１０からの出力の変わりに、ＩＱ補正制御部１５からの指示によりテスト信号発生部１３からテスト信号が出力される。テスト信号はＴＸパスを通って、ＳＷ１によって短絡されたＲＸパスに接続され、ＲＸパスを通してＩＱインバランス検出部１２で振幅インバランスと位相インバランスを検出する。
検出信号が小さくなるようにＴＸ−ＩＱ補正部とＲＸ−ＩＱ補正部の補正値ａ、ｂを決定する。ＩＱインバランス補正可能なスロットの区間が終了したタイミングでＩＱ補正制御部はＩＱインバランス補正を終了し、通常のデータ送受信が可能となる。
【００１９】
図９は、本実施例におけるＩＱインバランス補正を実施するタイミングについて示す図である。
本実施例においても、実際の送受信動作中はＩＱインバランス補正が対応できない。そのため、送受信動作を行っていないタイミング中にＩＱインバランス補正を行う必要がある。
例えば、ワイヤレスＵＳＢに使用されている無線通信方式であるWiMedia Alliance方式で説明する。WiMedia Alliance方式はスーパーフレームと呼ばれる６５．５３６ｍＳの長さの周期の繰り返しで構成されている。１つのスーパーフレームは、その中をＭＡＳ（Medium Access Slot）と呼ばれる２５６のエリアに分割されており、１つのＭＡＳの期間は２５６ｕＳである。スーパーフレームの冒頭のＭＡＳはビーコン送信用に使用される。データはビーコン送信以外のＭＡＳで送信される。データ送信方式はＤＲＰ（Distributed Reservation Protocol）方式で予約された時間（タイムスロット）にデータ転送を行う方式である。
図９では他デバイスと自デバイスのスーパーフレームのタイミングを示す。ビーコンによって同期された他デバイスと自デバイスのスーパーフレームにおいて、それぞれのデバイスがＤＲＰ予約したスロットでデータ転送を行う。そのため、ビーコン期間とＤＲＰ予約されたスロット以外はデータの送受信がないため、ＩＱインバランス補正に使用できるスロット区間となる。
【００２０】
図１０は、本実施例におけるＩＱインバランス補正動作の流れを示すフローチャートである。
プロトコル制御部１１ではフレームの送受信タイミングが管理されており、ＩＱインバランス補正可能なスロット区間になるまで待機する。
フレームの送信又はフレームの受信が終了し（ステップＳ２１）、送受ＩＱインバランス補正可能なスロット区間になると（ステップＳ２２でＹｅｓ）、ＩＱ補正制御部１５は、ＩＱインバランス補正を開始する（ステップＳ２３）。送信受信切り替えスイッチ（ＳＷ２）をニュートラルにてアンテナを送信と受信パスから切り離し、送信受信短絡スイッチ（ＳＷ１）を短絡して送信出力と受信入力を接続する（ステップＳ２４）。
次に、テスト信号発生部１３はＩＱインバランス補正用のテスト信号を発生し（ステップＳ２５）、ＩＱインバランス検出部１２がＩＱインバランスを検出して、その検出家かに基づいて、ＩＱ補正制御部は、振幅インバランスと位相インバランスが「０」となるように補正値ａ、ｂを設定する（ステップＳ２６）。
ＩＱ補正制御部１５は、ＩＱインバランス補正可能なスロット区間内であれば（ステップＳ２７でＮｏ）、さらに最適な補正値を設定してＩＱインバランスを補正する（ステップＳ２６）。ＩＱインバランス補正可能なスロット区間が終了したら（ステップＳ２７でＹｅｓ）、ＩＱ補正を終了し（ステップＳ２８）ＳＷ１とＳＷ２を通常のデータ送受信ができる制御に戻す。
【００２１】
このように、送信受信切り替え最小時間の区間内でテスト信号を発生してＩＱインバランスを補正することで、通常のデータ送受信のタイミングに影響を与えることなく、またデータ送受信を中断することなく、テスト信号を用いて安定したＩＱインバランス補正が可能となる。
なお、ＩＱ補正制御部１５にカウンターを有し、送受信切り替え回数をカウントしＮ回に一回の頻度でＩＱインバランスを補正することも可能である。これによりＩＱインバランスの補正値の時間変動が少ない場合は効率よくＩＱインバランスの補正が可能となる。
また、ＩＱ補正制御部１５にタイマーを有し、所定時間内に一回の頻度でＩＱインバランスを補正することも可能である。これによりＩＱインバランスの補正値の時間変動が少ない場合は効率よくＩＱインバランスの補正が可能となる。
【符号の説明】
【００２２】
１  アンテナ、２  ＲＸ−ＲＦブロック、３  ＲＸ−ＩＱ補正部、４  ＲＸ−ＩＦブロック、４  ＲＸ−ＩＦブロック、５  ＡＤ変換器、６  ＴＸ−ＲＦブロック、７  ＴＸ−ＩＱ補正部、８  ＴＸ−ＩＦブロック、９  ＤＡ変換部、１０  ＰＬＣＰブロック、１１  プロトコル制御部、１２  ＩＱインバランス検出部、１３  テスト信号発生部、１４  タイマー部、１５  ＩＱ補正制御部、２１、２２  増幅器、２３  加算器、３０  ＩＱ補正可能スロット検出部
【先行技術文献】
【特許文献】
【００２３】
【特許文献１】特許第４１６６０６４号
【図１】
2010258977.tif 000003
【図２】
2010258977.tif 000004
【図３】
2010258977.tif 000005
【図４】
2010258977.tif 000006
【図５】
2010258977.tif 000007
【図６】
2010258977.tif 000008
【図７】
2010258977.tif 000009
【図８】
2010258977.tif 000010
【図９】
2010258977.tif 000011
【図１０】
2010258977.tif 000012